(57)【要約】      （修正有）【課題】大型のサッシ窓であっても人手と外部足場とを必要とせず、また強風時においても安全に取り付けることができるサッシ窓の取付装置およびその取付方法を提供する。【解決手段】サッシ窓の取付装置１は、フォークリフト２の腕部３に設置してサッシ窓４を把持するとともに、この把持したサッシ窓４を窓開口部４４に取り付けるための装置であり、サッシ窓４を把持する把持部７と、該把持部７の角度を上下方向に調整する角度調整部８と、該角度調整部８を前後に出し入れする出入調整部９と、該出入調整部９をフォークリフトの腕部３に接合する接合部１０とから構成され、該接合部１０は接続枠１１と、水平盤１２とからなり、出入調整部９は移動部１４と、旋回部１６とからなり、角度調整部８は首振り部２６と、旋回部１９とからなり、把持部７は移動部１４と、把持腕３１とからなることを特徴とする。【選択図】図１
2005180026.tif 000002
【特許請求の範囲】
【請求項１】
フォークリフトの腕部に設置してサッシ窓を把持するとともに、この把持したサッシ窓を窓開口部に取り付けるための装置であり、サッシ窓を把持する把持部と、該把持部の角度を上下方向に調整する角度調整部と、該角度調整部を前後に出し入れする出入調整部と、該出入調整部をフォークリフトの腕部に接合する接合部とから構成され、該接合部はフォークリフトの腕部に接続する接続枠と、出入調整部を移動自在に設置した水平盤とからなり、出入調整部は水平盤の走行レールを移動する移動部と、該移動部上面の支持材を水平方向に回転させる水平旋回部とからなり、角度調整部は把持部を上下方向に回転させる首振り部と、把持部を首振り部に対して回転させる垂直旋回部とからなり、把持部は垂直旋回部の走行レールを移動する移動部と、サッシ窓を把持する把持腕とからなることを特徴とするサッシ窓の取付装置。
【請求項２】
爪を取り外し、かつ内側に縮んだフォークリフトの腕部に取り付けた、請求項１のサッシ窓の取付装置の把持部でサッシ窓を把持するとともに、該サッシ窓を角度調整部によって上部が後側に位置するように傾斜させた後、フォークリフトを前進させてサッシ窓の下端部を窓開口部の下面に設置するとともに、腕部の前方への伸張によってサッシ窓を回転させながら窓開口部に嵌め込んだ後、該窓開口部にサッシ窓を固定することを特徴とするサッシ窓の取付方法。
【発明の詳細な説明】
【技術分野】
【０００１】
本発明はサッシ窓の取付装置およびその取付方法に関するものである。
【背景技術】
【０００２】
サッシ窓の取付方法として、例えば特開２００２−４７２９号の発明が知られている。
その他、鉄筋コンクリート構造物の窓開口部へのサッシ窓の取付方法としては、第一にサッシ窓をタコ吸盤を使って人力で取り付ける方法、第二にサッシ窓をタワークレーンで持ち上げて取り付ける方法、第三にサッシ窓をミニクレーンで上階から吊り上げて取り付ける方法、第四にサッシ窓を梁に仕込んだウインチで吊り上げて取り付ける方法が一般的に行われている。
【特許文献１】特開２００２−４７２９号公報
【発明の開示】
【発明が解決しようとする課題】
【０００３】
しかし、上記の第一の取付方法は、サッシ窓が大型になると多くの人手と、外部足場とが必要になるという問題があった。また第二の取付方法は、強風時には作業ができず、サッシ窓の引き込みも危険であり、かつタワークレーンを占有してしまうため工期が延びるという問題があった。また第三の取付方法は、第二の他に、上階の床の強度を必要とするという問題があった。また第四の取付方法は、第二の他に、梁下に吊り代を必要とするという問題があった。
【０００４】
本発明は上記のような問題に鑑みてなされたものであり、その目的は、大型のサッシ窓であっても人手と外部足場とを必要とせず、また強風時においても安全に取り付けることができるサッシ窓の取付装置およびその取付方法を提供することである。
【課題を解決するための手段】
【０００５】
本発明のサッシ窓の取付装置は、フォークリフトの腕部に設置してサッシ窓を把持するとともに、この把持したサッシ窓を窓開口部に取り付けるための装置であり、サッシ窓を把持する把持部と、該把持部の角度を上下方向に調整する角度調整部と、該角度調整部を前後に出し入れする出入調整部と、該出入調整部をフォークリフトの腕部に接合する接合部とから構成され、該接合部はフォークリフトの腕部に接続する接続枠と、出入調整部を移動自在に設置した水平盤とからなり、出入調整部は水平盤の走行レールを移動する移動部と、該移動部の上面に立設された支持材を水平方向に回転させる水平旋回部とからなり、角度調整部は把持部を上下方向に回転させる首振り部と、把持部を首振り部に対して回転させる垂直旋回部とからなり、把持部は垂直旋回部の走行レールを移動する移動部と、サッシ窓を把持する把持腕とからなることを特徴とする。
またサッシ窓の取付方法は、爪を取り外し、かつ内側に縮んだフォークリフトの腕部に取り付けた、請求項１のサッシ窓の取付装置の把持部でサッシ窓を把持するとともに、該サッシ窓を角度調整部によって上部が後側に位置するように傾斜させた後、フォークリフトを前進させてサッシ窓の下端部を窓開口部の下面に設置するとともに、腕部の前方への伸張によってサッシ窓を回転させながら窓開口部に嵌め込んだ後、該窓開口部にサッシ窓を固定することを特徴とする。
【発明の効果】
【０００６】
大型のサッシ窓であっても取付装置によって簡単に把持することでき、この把持したサッシ窓を前後左右に移動可能、上下の角度調整可能、水平および垂直旋回可能であるため、窓開口部に簡単に取り付けすることができる。既存のフォークリフトに取り付けすることができるので、使い勝手がよい。またサッシ窓を把持して躯体の内部から窓開口部に取り付けるため、強風時および高層部であっても安全かつ簡単に取り付けすることができる。サッシ窓の取り付け工期を大幅に短縮することができる。
【発明を実施するための最良の形態】
【０００７】
以下、本発明のサッシ窓の取付装置およびその取付方法について説明する。はじめに、サッシ窓の取付装置について説明し、その後に、この取付装置を使用したサッシ窓の取付方法について説明するが、各実施の形態において、同じ構成は同じ符号を付して説明し、異なった構成にのみ異なった符号を付して説明する。
【０００８】
本発明の実施の形態のサッシ窓の取付装置（以下、取付装置という）１は、既存のフォークリフト２の腕部３に取り付けて、窓開口部に嵌める前のサッシ窓４を把持して窓開口部に取り付けるものである。このサッシ窓４は窓枠５にペアガラス６が嵌め込まれた重量が１トンもある大きなものである。
【０００９】
この取付装置１は、図１〜図３に示すように、サッシ窓４を把持する把持部７と、該把持部７の角度を上下方向に調整する角度調整部８と、該角度調整部８を前後に出し入れする出入調整部９と、該出入調整部９をフォークリフトの腕部３に接合する接合部１０とから構成されている。
【００１０】
接合部１０は、取付装置１をフォークリフトの腕部３に取り付ける接続枠１１と、該接続枠１１に直角に突出した水平盤１２とからなり、該水平盤１２には出入調整部９が移動自在に設置されている。よって、この接続枠１１が、爪を取り外した腕部３にボルト止めされて、取付装置１がフォークリフト２に取り付けられ、腕部２の伸縮および上下動により、前後および上下に移動できるようになっている。
【００１１】
また、出入調整部９は水平盤１２の走行レール１３を移動する移動部１４と、該移動部１４上面の支持材１５を水平方向に回転させる旋回部１６とから構成されている。この移動部１４は水平プレート１７下面の走行ガイド１８が走行レール１３に嵌め合わされ、走行ガイド１８間に設置されたラック２０が水平盤１２のピニオン２１に噛み合わされ、該ピニオン２１を出入調整ハンドル２２で回転させることにより、走行レール１３を前後に移動できるようになっている。
【００１２】
一方、旋回部１６は水平プレート１７の上に設置された水平旋回輪２３と、該水平旋回輪２３の上に立設された支持材１５とから構成され、水平旋回輪２３には水平旋回ハンドル２４で回転する駆動輪２５が噛み合わされている。したがって、水平旋回ハンドル２４の旋回による駆動輪２５の回転によって、水平旋回輪２３が回転するようになっている。
【００１３】
また角度調整部８は把持部７を上下方向に回転させる首振り部２６と、把持部７を首振り部２６に対して回転させる旋回部１９とから構成されている。この首振り部２６は支持材１５上部に支軸２７を中心に回転自在に取り付けられ、旋回部１９に設けたシリンダー２８の先端が接続されている。よって、このシリンダー２８の伸縮により、前記支軸２７を中心に上下方向に回転して角度の変更が可能になっている。
【００１４】
また旋回部１９は首振り部２６前面の垂直旋回輪２９と走行レール１３とからなり、垂直旋回輪２９に垂直旋回ハンドル３０で回転する駆動輪２５が噛み合わされている。したがって、垂直旋回ハンドル３０の旋回による駆動輪２５の回転によって、垂直旋回輪２９が回転するようになっている。
【００１５】
把持部７は旋回部１９の走行レール１３を移動する移動部１４と、サッシ窓４を把持する把持腕３１とから構成されている。この移動部１４は垂直プレート３２の走行ガイド１８が走行レール１３に嵌め合わされ、走行ガイド１８間に設置されたネジ嵌合体３３がボールネジ３４に噛み合わされ、該ボールネジ３４を把持ハンドル３５で回転させることにより、走行レール１３が左右に移動するようになっている。
【００１６】
一方、把持腕３１は、垂直プレート３２の両側に設けた垂直材であり、この垂直材の内側面に取付枠材３７がボルト止めできるようになっている。この取付枠材３７は、外枠３８がサッシ窓４の窓枠５にボルト止めされ、外枠３８内の縦材４１が把持腕３１に取り付けられるようになっており、縦材４１にはボルト孔４２と長孔４３とが設けられている。
【００１７】
この取付装置１の把持腕３１は、窓開口部４４にサッシ窓４を取り付けるために、出入調整ハンドル２２で前後方向に移動し、水平旋回ハンドル２４で水平回転し、シリンダー２８で上下方向に回転し、垂直旋回ハンドル３０で垂直回転し、把持ハンドル３５で左右に移動し、各ハンドル２２、２４、３０、３５の一回転で各部の先端が５ｍｍ動くように統一されている。
【００１８】
以下に、この取付装置１を使用したサッシ窓の取付方法について説明する。はじめに、図４に示すように、ペアガラス６を備えた重量が１トンのサッシ窓４に取付枠材３７をボルト止めし、この取付枠材３７の上下部に、落下防止を兼ねた出入りの位置を決める当たり板４５を取り付けるとともに、サッシ窓４を嵌め込む窓開口部４４の下面内側に落下防止補助具４６を固定する。
【００１９】
次に、爪部を撤去したフォークリフトの腕部３に取付装置１を設置し、この取付装置の把持腕３１を３本のボルト４７で取付枠材３７の縦材４１に固定するが、この３本のボルト４７のうち下端部のものは縦材４１の長孔４３に固定する。また、この腕部３は取付装置１を設置しやすいように、なるべく下側に位置させておく。
【００２０】
そして、このままの状態で、フォークリフト２を前進させて、窓開口部４４の少し手前で止める。次に、サッシ窓４を所定の高さまで持ち上げるとともに、出入調整ハンドル２２でサッシ窓４を前方に移動させるとともに、シリンダー２８の伸張により、上側が後方に位置する角度に傾斜させる。また、水平旋回ハンドル２４と、垂直旋回ハンドル３０と、把持ハンドル３５とでサッシ窓４を水平回転、垂直回転および左右に移動させて、窓開口部４４に嵌め込むための位置の微調整を行い、サッシ窓４の下端部を窓開口部４４の下面に設置する。
【００２１】
次に、図５に示すように、把持腕３１の３本のボルト４０のうち上側のボルト４０を取り外した後、サッシ窓４の自重を窓開口部４４にあずけたまま、その傾きが５度になるまで腕部３を前方に伸張させると、下部を支点に回転するとともに、下端部のボルト４０が縦材４１の長孔４３を移動する。
【００２２】
次に、図６に示すように、サッシ窓４が垂直になるまで腕部３を伸張させて窓開口部４４に嵌め込むとともに、サッシ窓４の上下部をファスナー３６で仮固定する。そして、取付枠材３７の上下部の落下防止治具４５と落下防止補助具４６とを窓開口部４４の下面から撤去する。
【００２３】
次に、図７に示すように、上記で取り外した２本のボルト４０を戻して把持腕３１に縦材４１を固定した後、取付枠材３７をサッシ窓４から取り外すとともに、サッシ窓４を窓開口部４４に本固定する。この手順で一枚のサッシ窓４を固定することができ、同じ方法で他のサッシ窓４を順次取り付ることにより、強風時および高層部であっても安全かつ簡単に取り付けすることができるので、サッシ窓４の取り付け工期を大幅に短縮することができる。
【図面の簡単な説明】
【００２４】
【図１】取付装置の側面図である。
【図２】取付装置の正面図である。
【図３】取付装置の平面図である。
【図４】サッシ窓を窓開口部に取付装置でセットした断面図である。
【図５】サッシ窓を窓開口部の下面を中心に取付装置で回転させた断面図である。
【図６】サッシ窓を窓開口部に取付装置で嵌め込んだ断面図である。
【図７】サッシ窓から取付装置を取り外した断面図である。
【符号の説明】
【００２５】
１  取付装置
２  フォークリフト
３  腕部
４  サッシ窓
５  窓枠
６  ペアガラス
７  把持部
８  角度調整部
９  出入調整部
１０  接合部
１１  接続枠
１２  水平盤
１３  走行レール
１４  移動部
１５  支持材
１６、１９  旋回部
１７  水平プレート
１８  走行ガイド
２０  ラック
２１  ピニオン
２２  出入調整ハンドル
２３  水平旋回輪
２４  水平旋回ハンドル
２５  駆動輪
２６  首振り部
２７  支軸
２８  シリンダー
２９  垂直旋回輪
３０  垂直旋回ハンドル
３１  把持腕
３２  垂直プレート
３３  ネジ嵌合体
３４  ボールネジ
３５  把持ハンドル
３６  ファスナー
３７  取付枠材
３８  外枠
４０  ボルト
４１  縦材
４２  ボルト孔
４３  長孔
４４  窓開口部
４５  落下防止治具
４６  落下防止補助具
【図１】
2005180026.tif 000003
【図２】
2005180026.tif 000004
【図３】
2005180026.tif 000005
【図４】
2005180026.tif 000006
【図５】
2005180026.tif 000007
【図６】
2005180026.tif 000008
【図７】
2005180026.tif 000009